(57)【特許請求の範囲】
【請求項１】
ハンドルにより駆動される駆動軸を編機本体のテーブル内に回転自在に設け、その駆動軸に連動して回転するクランク部材のクランクピンを、そのテーブル内に上下動可能に設けられたスライダに形成した横溝に係合させ、そのスライダにはフックを上方にしたメリヤス針を縦向きに設け、前記駆動軸に同心状に固定された前後動用カムと上下動用カムに夫々対応する第１カム面と第２カム面を形成し、かつ、左右一対の上向きの送り爪の間に前記メリヤス針を臨ませる空間部が形成された送りレバーを前後及び上下方向に移動可能に設け、前記テーブルから前記メリヤス針の上方に延びるアームに、毛糸をメリヤス針に供給する給糸ノズルが回転中心から偏心した位置に形成された円盤体を回転自由に設け、その円盤体を前記駆動軸に連動して回転するように設け、多数の穴が枡目状に形成された平坦な形状のネットを前記テーブル上に載置して前記送りレバーの送り爪に所定の穴を係合させた状態にて前記ハンドルを回転させることにより、前記給糸ノズルがメリヤス針の周囲を旋回して同ノズル内を通過した毛糸が前記ネットの穴から突出するメリヤス針の上部に巻き付けられて前記フックに引っ掛けられると共に同メリヤス針の上下運動と前記送り爪の四辺形軌跡運動との連係作用によりネットの枡目に毛糸をメリヤス状に編み込むように構成したことを特徴とする手芸用編機。
【請求項２】
前記ネットの浮き上りを防止する押え部材を前記編機本体のアームに取り付けたことを特徴とする請求項１に記載の手芸用編機。
【請求項３】
前記メリヤス針は前記スライダに交換可能に取り付けられていることを特徴とする請求項１又は請求項２に記載の手芸用編機。
【請求項４】
毛糸巻きボビンを回転自由に支持することができるピンを前記アームに設け、同ボビンから繰り出される毛糸を前記給糸ノズルに導くように設けたことを特徴とする請求項１〜３の何れかに記載の手芸用編機。
【発明の詳細な説明】
【技術分野】
【０００１】
本発明は、多数の穴が枡目状に形成された平坦な形状のネットに毛糸をメリヤス状に編み込むことができる手芸用編機に関するものである。
【背景技術】
【０００２】
多数の穴が枡目状に形成されたプラスチック製ネットに毛糸をメリヤス状に編み込む作業は、専ら手編みで行なわれている。ネットとしては、帽子型のような立体形状や平坦な細長い四辺形のものが手芸用に使用されている。
【０００３】
ところで、平坦な細長い四辺形のネットに毛糸をメリヤス状に編み込む手作業は、単調で面白さに欠けるという点を否めない。
【特許文献１】なし
【発明の開示】
【発明が解決しようとする課題】
【０００４】
本発明の目的は、多数の穴が枡目状に形成された平坦な形状のネットに毛糸をメリヤス状に編み込むことができる小型で簡便な手芸用編機を提供することにある。
【課題を解決するための手段】
【０００５】
前記目的を達成するために請求項１に記載した発明は、ハンドルにより駆動される駆動軸を編機本体のテーブル内に回転自在に設け、その駆動軸に連動して回転するクランク部材のクランクピンを、そのテーブル内に上下動可能に設けられたスライダに形成した横溝に係合させ、そのスライダにはフックを上方にしたメリヤス針を縦向きに設け、前記駆動軸に同心状に固定された前後動用カムと上下動用カムに夫々対応する第１カム面と第２カム面を形成し、かつ、左右一対の上向きの送り爪の間に前記メリヤス針を臨ませる空間部が形成された送りレバーを前後及び上下方向に移動可能に設け、前記テーブルから前記メリヤス針の上方に延びるアームに、毛糸巻きボビンを回転自由に支持するピンを設けると共に同ボビンから繰り出される毛糸をメリヤス針に供給する給糸ノズルが回転中心から偏心した位置に形成された円盤体を回転自由に設け、その円盤体を前記駆動軸に連動して回転するように設け、多数の穴が枡目状に形成された平坦な形状のネットを前記テーブル上に載置して前記送りレバーの送り爪に所定の穴を係合させた状態にて前記ハンドルを回転させることにより、前記給糸ノズルがメリヤス針の周囲を旋回して同ノズル内を通過した毛糸が前記ネットの穴から突出するメリヤス針の上部に巻き付けられて前記フックに引っ掛けられると共に同メリヤス針の上下運動と前記送り爪の四辺形軌跡運動との連係作用によりネットの枡目に毛糸をメリヤス状に編み込むように構成したことを特徴とする。
【０００６】
同様の目的を達成するために請求項２に記載した発明は、請求項１に記載の手芸用編機において、前記ネットの浮き上りを防止する押え部材を前記編機本体のアームに取り付けたことを特徴とするものである。
【０００７】
同様の目的を達成するために請求項３に記載した発明は、請求項１又は請求項２に記載の手芸用編機において、前記メリヤス針は前記スライダに交換可能に取り付けられていることを特徴とするものである。
【０００８】
同様の目的を達成するために請求項４に記載した発明は、請求項１〜３の何れかに記載の手芸用編機において、毛糸巻きボビンを回転自由に支持することができるピンを前記アームに設け、同ボビンから繰り出される毛糸を前記給糸ノズルに導くように設けたことを特徴とするものである。
【発明の効果】
【０００９】
（請求項１の発明）
この手芸用編機は、多数の穴が枡目状に形成されたネットをテーブル上に載置して送りレバーの送り爪に所定の穴を係合させた状態にてハンドルを回転操作すれば、給糸ノズルがメリヤス針の周囲を旋回して毛糸巻きボビンから繰り出される毛糸を同メリヤス針に巻きつけると共にメリヤス針の上下運動と送り爪の四辺形軌跡運動との連係作用によりネットの枡目に毛糸をメリヤス状に編み込むように構成しており、毛糸をネットに編み込む作業を楽しみつつ簡単に行なうことができる。
【００１０】
（請求項２の発明）
この手芸用編機は、ネットの浮き上りを防止する押え部材を設けているのでネットが安定し、作業が行ない易い。
【００１１】
（請求項３の発明）
この手芸用編機は、メリヤス針をスライダに取り付ける構成としているので、メリヤス針の交換や保守時の利便性がよい。
【００１２】
（請求項４の発明）
この手芸用編機は、毛糸巻きボビンから繰り出される毛糸を給糸ノズルに導くように設けているので、毛糸が絡むことがなく作業を安定して行なうことができる。
【発明を実施するための最良の形態】
【００１３】
以下に、本発明の最良の形態例を図面に基づいて説明する。図１は本発明に係る手芸用編機の斜視図、図２は同、縦断正面図、図３は駆動システムの概要を示す説明図、図４はメリヤス針、送りレバー、給糸ノズルとネットの相対的位置関係を示す説明図、図５は前後動用カム及び上下動用カムにより四辺形軌跡運動を行なう送り爪の説明図、図６は毛糸をネットにセットする状態を示す説明図、図７〜図１１は編成動作を順を追って説明する模式図（１）〜（５）、図１２は図１０における編成状態を拡大して示す模式図である。
【００１４】
本発明に係る手芸用編機Ｓは、プラスチック製のネットの枡目に毛糸をメリヤス状に編み込むものである。この手芸用編機Ｓの編機本体１は、先端部６ａがメリヤス針２６の上方に延びる¬形状のアーム６を一体に形成した上部ケース５を、上方が開放された下部ケース２に被着した形態とされている。この明細書においては、編機本体１からアーム６を除いた部分を便宜上テーブル７という。
【００１５】
図２において、テーブル７の内部には、アーム６側の側壁１ａと縦向きの支持部材８とにより水平方向に支持した駆動軸１０を回転自在に設けている。その駆動軸１０の一端１０ａにはハンドル１１を設け、その他端１０ｂに、ほぼ三角形状の前後動用カム１３が前側に一体成形された駆動ギア１２を固定している。１４は前後動用カム１３の前面に同心状に固定されたほぼ三角形状の上下動用カムである（図５）。１５はクランクアーム１６の前側にクランクピン１７を突設すると共に同クランクアーム１６の後側にギア１８と横向きの軸１９を一体に形成したクランク部材である。このクランク部材１５は上記支持部材８の軸穴９に軸１９を遊嵌し、同支持部材８に回転自由に設けられた中間ギア２１を介して駆動軸１０に連動して回転可能に設けられている。
【００１６】
２５はテーブル７内に立設されたガイド２４により上下動可能に設けられたスライダである。２６はフック２７から延びる直線部２６ａの端に直交状に交差する横行部２６ｂを一体に形成したメリヤス針である。２８はフック２７の近くで直線部２６ａに回転自由に設けられたヘラ、２９は横行部２６ｂに形成された横溝、３０は直線部２６ａに設けた取付穴である。図２に示すように、メリヤス針２６は、フック２７を上方にしてスライダ２５に縦向きに固定されている。また、メリヤス針２６の横溝２９には、クランク部材１５のクランクピン１７が係合されている。
【００１７】
なお、この実施形態では、クランクピン１７を係合させる横溝２９をメリヤス針２６に設けているが、スライダ２５に該横溝２９を設ける構成とすることもできる。
【００１８】
送りレバー３５は長手方向の一端の両側に軸部３６を設け、その他端に上から見て長方形の枠部３７を設けている。図５に示すように、枠部３７の内方には、前後動用カム１３に対応する第１カム面３８ａと、上下動用カム１４に対応する第２カム面３８ｂとを形成している。また、枠部３７の長手方向の上面には、左右一対の上向きの送り爪３９が一定間隔を置いて４箇所に設けられている。４０はメリヤス針２６を臨ませるために左右２列の間に形成された空間部である（図３）。送りレバー３５は、テーブル７内に設けられる一対の支持片３２に横方向に形成された長溝３３に軸部３６を遊嵌させ、前後動用カム１３に第１カム面３８ａを、上下動用カム１４に第２カム面３８ｂを夫々係合するように取り付けられ、前後（送りレバーの長手方向）及び上下方向に移動可能に設けられている。４１は送りレバー３５と下部ケース２との間に懸架されたコイルバネである。また、テーブル７には、送り爪３９を臨ませるための開口７ａが設けられている。
【００１９】
アーム６の中空の縦向き部６ｂには、下端に傘歯車４３を上端に伝動ギア４４を固定した伝動軸４２を回転可能に設ける。そして、アーム６の下方位置の駆動軸１０に固定した傘歯車４５と傘歯車４３とを噛合するように設ける。４７は後記毛糸巻きボビン７０から繰り出される毛糸をメリヤス針２６に供給する給糸ノズル４８が回転中心から偏心した位置に下向きに形成され、かつ、外周にギア４９が連続して形成されたた円盤体である。この円盤体４７は、アーム６の先端部６ａの内方に回転自由に設けられている。また、円盤体４７のギア４９は、伝動ギア４４に連動する中間ギア５１と噛合するように設けられている。
【００２０】
アーム６の縦向き部６ｂの天部には、毛糸巻きボビン７０を回転自由に支持するＬ字形のピン５３を起立自在に設けている。アーム６には、円盤体４７の上方と下方を連通する穴５５を設けている。その穴５５の上口５５ａには、毛糸巻きボビン７０から繰り出される毛糸を給糸ノズル４８に案内するガイド穴５７が形成された毛糸ガイド５６を取り付けている。また、その穴５４の下口５４ｂには、後記ネット７５の浮き上りを防止するためのＵ字形の押え部材５８を取り付けている。押え部材５８の押え部５９には、メリヤス針２６を臨ませるための開口６０が形成されている。
【００２１】
ネット７５は、メリヤス針２６や送りレバー３５の送り爪３９が進入可能な大きさの多数の穴７６が枡目状に形成された平坦な形状とされており、長さや幅等の異なる形状の市販品を使用することができる。
【００２２】
しかして、テーブル７上にネット７５を載置して送りレバー３５の送り爪３９に所定の穴７６を係合させた状態にてハンドル１１を回転させることにより、給糸ノズル４８がメリヤス針２６の周囲を旋回して同ノズル内を通過した毛糸がネット７５の穴７６から突出するメリヤス針２６の上部に巻き付けられてフック２７に引っ掛けられると共に同メリヤス針２６の上下運動と送り爪３９の（下降・後退・上昇・前進の循環移動を行なう）四辺形軌跡運動との連係作用によりネット７５の枡目に毛糸をメリヤス状に編み込む本発明に係る手芸用編機Ｓが構成される。
【００２３】
なお、この実施形態例では、毛糸巻きボビンから繰り出される毛糸を給糸ノズルに導くように設けているが、毛糸巻きボビンを使用せずに、毛糸玉の毛糸を給糸ノズルにセットして編み作業を行なうこともできる。
【００２４】
つぎに、本発明に係る手芸用編機Ｓの作用を図面に基づいて説明する。
（１）毛糸巻きボビン７０から繰り出される毛糸７１を毛糸ガイド５６のガイド穴５７に通してから給糸ノズル４８を通し、その先端をネット７５の端に結ぶ（図６）。
（２）ネット７５をテーブル７上に載置してメリヤス針２６を１個目の穴７６に係合させると共に送りレバー３５の送り爪３９も穴７６に係合させた状態にてハンドル１１を回転させる。
（３）ハンドル１１の連続回転により駆動軸１０が回転し、その駆動軸１０に連動して円盤体４７とクランク部材１５が回転する。
（４）円盤体４７の給糸ノズル４８がメリヤス針２６の周囲を旋回して毛糸７１がネット７５の穴７６から突出するメリヤス針２６の上部に巻き付けられる。
（５）他方、クランク部材１５の回転によりスライダ２５及びメリヤス針２６が下降するので、毛糸７１はメリヤス針２６のフック２７に引っ掛けられる。メリヤス針２６の下降運動と同調して、前後動用カム１３と上下動用カム１４の回転により送り爪３９が下降・後退・上昇動作を行なう。これにより、メリヤス針２６の上部がネット７５の２個目の穴７６から飛び出すと共に送り爪３９も次の穴７６に夫々係合する。
（６）ついで、（４）と同様に、メリヤス編みのループ内を通過したメリヤス針２６のフック２７に再び毛糸７１が引っ掛けられてメリヤス針２６は下降し、送り爪３９が上昇した状態で前進するので、ネット７５も一緒に１つだけ前進移動する。これと同時に、メリヤス針２６の上部がネット７５の３個目の穴７６から飛び出す。
（７）以後、（４）〜（６）の動作が繰り返され、メリヤス針２６の上下運動と送り爪３９の四辺形軌跡運動との連係作用によりネット７５の枡目に毛糸７１がメリヤス状に連続状に編み込まれる（図７〜図１２）。
【００２５】
以上に述べた通り、この手芸用編機は、ネットをテーブル上に載置して送りレバーの送り爪に所定のネットの穴を係合させた状態にてハンドルを回転操作すれば、給糸ノズルがメリヤス針の周囲を旋回して毛糸巻きボビンから繰り出される毛糸をメリヤス針に巻きつけると共にメリヤス針の上下運動と送り爪の四辺形軌跡運動との連係作用によりネットに毛糸をメリヤス状に簡単に編み込むことができる。
【図面の簡単な説明】
【００２６】
【図１】本発明に係る手芸用編機の斜視図
【図２】同、縦断正面図
【図３】駆動システムの概要を示す説明図
【図４】メリヤス針、送りレバー、給糸ノズルとネットの相対的位置関係を示す説明図
【図５】前後動用カム及び上下動用カムにより四辺形軌跡運動を行なう送り爪の説明図
【図６】毛糸をネットにセットする状態を示す説明図
【図７】編成動作を説明する模式図（１）
【図８】編成動作を説明する模式図（２）
【図９】編成動作を説明する模式図（３）
【図１０】編成動作を説明する模式図（４）
【図１１】編成動作を説明する模式図（５）
【図１２】図１０における編成状態を拡大して示す模式図
【符号の説明】
【００２７】
Ｓ・・・本発明に係る手芸用編機
１・・・編機本体
６・・・アーム
７・・・テーブル
１０・・・駆動軸
１１・・・ハンドル
１３・・・前後動用カム
１４・・・上下動用カム
１５・・・クランク部材
１７・・・クランクピン
２５・・・スライダ
２６・・・メリヤス針
２７・・・フック
２９・・・横溝
３５・・・送りレバー
３８ａ・・・第１カム面
３８ｂ・・・第２カム面
３９・・・送り爪
４７・・・円盤体
４８・・・給糸ノズル
５３・・・ピン
５８・・・押え部材
７０・・・毛糸巻きボビン
７１・・・毛糸
７５・・・ネット
７６・・・穴
【要約】
【課題】多数の穴が枡目状に形成された平坦な形状のネットに毛糸をメリヤス状に編み込むことができる小型で簡便な手芸用編機を提供すること。
【解決手段】ハンドルにより駆動される駆動軸によりメリヤス針を備えたスライダを上下動可能に設け、その駆動軸に固定した前後動用カムと上下動用カムにより、送り爪が形成された送りレバーを前後及び上下方向に移動可能に設け、テーブルの上方のアームに支持される毛糸巻きボビンから繰り出される毛糸をメリヤス針に供給する給糸ノズルが形成された円盤体を前記駆動軸に連動回転可能に設け、送りレバーの送り爪にネットの穴を係合させた状態にてハンドルを回転させることにより、給糸ノズルがメリヤス針の周囲を旋回して毛糸がメリヤス針の上部に巻き付けられてフックに引っ掛けられると共に同メリヤス針の上下運動と送り爪の四辺形軌跡運動との連係作用により、毛糸がネットの枡目にメリヤス状に編み込まれる。
【選択図】図１【図１】
0004255980.tif 000002
【図２】
0004255980.tif 000003
【図３】
0004255980.tif 000004
【図４】
0004255980.tif 000005
【図５】
0004255980.tif 000006
【図６】
0004255980.tif 000007
【図７】
0004255980.tif 000008
【図８】
0004255980.tif 000009
【図９】
0004255980.tif 000010
【図１０】
0004255980.tif 000011
【図１１】
0004255980.tif 000012
【図１２】
0004255980.tif 000013